(57)【要約】【課題】小型化の要求に応えることができる撮像装置を提供する。【解決手段】被写体像を結像させる複数の光学系及び前記複数の光学系のそれぞれに対応する複数の撮像センサを収容する第１筐体部と、前記第１筐体部から延在し、ユーザが把持するための第２筐体部とを備え、前記第１筐体部は、前記第２筐体部が延在する延在方向を基準軸とする周方向に沿う周面を有し、前記複数の光学系のうち少なくとも２つは、前記周面に沿って配置される最も物体側に位置する周面レンズと、互いに交差する第１光路とをそれぞれ有し、前記第２筐体部の最大径を成す外接円は、前記第１筐体部のうち前記周面レンズを含む位置における前記周面の最小径を成す外接円より小さい撮像装置。【選択図】図１５
2020134938.tif 000002
【特許請求の範囲】
【請求項１】
被写体像を結像させる複数の光学系及び前記複数の光学系のそれぞれに対応する複数の撮像センサを収容する第１筐体部と、
前記第１筐体部から延在し、ユーザが把持するための第２筐体部と
を備え、
前記第１筐体部は、前記第２筐体部が延在する延在方向を基準軸とする周方向に沿う周面を有し、
前記複数の光学系のうち少なくとも２つは、前記周面に沿って配置される最も物体側に位置する周面レンズと、互いに交差する第１光路とをそれぞれ有し、
前記第２筐体部の最大径を成す外接円は、前記第１筐体部のうち前記周面レンズを含む位置における前記周面の最小径を成す外接円より小さい撮像装置。
【請求項２】
前記複数の光学系のうちの１つは、前記延在方向に平行な第２光路を有し、
前記第１光路と前記第２光路は互いに交差する請求項１に記載の撮像装置。
【請求項３】
前記第２光路を有する光学系の最も物体側に配置されたレンズの表面は、前記延在方向の端となる、前記第１筐体部の端面を構成する請求項２に記載の撮像装置。
【請求項４】
前記第１光路が互いに交差する光路部分に透過光学素子が配置された請求項１から３のいずれか１項に記載の撮像装置。
【請求項５】
前記周面レンズと、前記複数の撮像センサのうち前記第１光路を有する光学系のそれぞれに対応する撮像センサとは、前記周方向に沿って交互に配置される請求項１から４のいずれか１項に記載の撮像装置。
【請求項６】
前記第２筐体部は、前記延在方向に平行な平面部を有する請求項１から５のいずれか１項に記載の撮像装置。
【請求項７】
前記平面部は、前記周面レンズの向きに応じて設けられている請求項６に記載の撮像装置。
【請求項８】
前記第２筐体部は、前記複数の撮像センサに電力を供給するバッテリを収容するバッテリ収容部を有する請求項１から７のいずれか１項に記載の撮像装置。
【請求項９】
前記第２筐体部は、前記複数の撮像センサが光電変換した像信号を処理する処理プロセッサを搭載する基板を収容する基板収容部を有する請求項８に記載の撮像装置。
【請求項１０】
前記バッテリ収容部と前記基板収容部は、前記延在方向に沿って前記第２筐体部の内部に配置された請求項９に記載の撮像装置。
【請求項１１】
前記基板収容部は、前記第２筐体部の内部のうち前記第１筐体部に隣接する位置に配置された請求項１０に記載の撮像装置。
【請求項１２】
前記バッテリ収容部は、前記第２筐体部の内部のうち前記第１筐体部に隣接する位置に配置された請求項１０に記載の撮像装置。
【請求項１３】
前記基準軸の周方向に沿う前記第２筐体部の周面には、前記撮像装置を操作する操作部材が設けられている請求項９から１２のいずれか１項に記載の撮像装置。
【請求項１４】
前記基板は、前記処理プロセッサが処理した処理信号を外部機器へ送信する送信部を有する請求項９から１３のいずれか１項に記載の撮像装置。
【発明の詳細な説明】
【技術分野】
【０００１】
本発明は、撮像装置に関する。
【背景技術】
【０００２】
特許文献１−４には、全天球型撮像装置（全天球カメラ）の一例として、１８０度より広い画角を持つ広角レンズと、この広角レンズによる像を撮像する撮像センサとによる同一構造の撮像光学系を２つ組み合わせ、各撮像光学系により撮像された像を合成して４πラジアンの立体角内の像を得る、全天球型撮像装置が開示されている。
【先行技術文献】
【特許文献】
【０００３】
【特許文献１】特開２０１３−０６６１６３号公報
【特許文献２】特許第６１４２４６７号公報
【特許文献３】特開２０１３−２１８２７８号公報
【特許文献４】特許第５９１０４８５号公報
【発明の概要】
【発明が解決しようとする課題】
【０００４】
撮像装置の技術分野では、小型化の要求（例えば筐体の厚みや体積の低減）に応えるべく、研究開発が進められている。しかし、特許文献１−４の撮像装置は、上記の要求に応えきれていない点で、改良の余地がある。
【０００５】
本発明は、以上の問題意識に基づいてなされたものであり、小型化の要求に応えることができる撮像装置を提供することを目的とする。
【課題を解決するための手段】
【０００６】
本実施形態の撮像装置は、被写体像を結像させる複数の光学系及び前記複数の光学系のそれぞれに対応する複数の撮像センサを収容する第１筐体部と、前記第１筐体部から延在し、ユーザが把持するための第２筐体部とを備え、前記第１筐体部は、前記第２筐体部が延在する延在方向を基準軸とする周方向に沿う周面を有し、前記複数の光学系のうち少なくとも２つは、前記周面に沿って配置される最も物体側に位置する周面レンズと、互いに交差する第１光路とをそれぞれ有し、前記第２筐体部の最大径を成す外接円は、前記第１筐体部のうち前記周面レンズを含む位置における前記周面の最小径を成す外接円より小さい。
【発明の効果】
【０００７】
本発明によれば、小型化の要求に応えることができる撮像装置を提供することができる。
【図面の簡単な説明】
【０００８】
【図１】本実施形態による撮像装置の外観構成を示す図である。
【図２】本実施形態による撮像装置の内部構成を示す断面図である。
【図３】周面光学系と周面撮像センサと六角ガラスの光学設計を示す拡大図である。
【図４】周面光学系と周面撮像センサと六角ガラスの位置関係を示す拡大図である。
【図５】端面光学系と端面撮像センサと周面光学系と周面撮像センサと六角ガラスの位置関係を示す拡大図である。
【図６】筐体の各領域に配置される構成要素の一例を示す概念図である。
【図７】本実施形態による撮像装置の内部構成を示す機能ブロック図である。
【図８】撮像光学系の別実施形態の一例を示す図である。
【図９】周面光学系の光路と周面撮像センサ、および六角ガラスの位置関係を示す拡大図である。
【図１０】周面撮像センサの周方向画角の関係を示す図である。
【図１１】基準軸と第１レンズＬ１および周面撮像センサとの位置関係を示す拡大図である。
【図１２】周面レンズＬ１と周面撮像センサの配置を説明する説明するための斜視図である。
【図１３】周面撮像センサの有効画素用域と、周面光学系によって結像された被写体像の関係を説明する図である。
【図１４】周面光学系の光路と周面撮像センサ、端面光学系の光路と端面撮像センサ、および六角ガラスの位置関係を示す拡大図である。
【図１５】撮像装置の別実施形態の一例の外観構成を示す図である。
【発明を実施するための形態】
【０００９】
図１Ａ〜図１Ｃは、本実施形態による撮像装置１の外観構成を示す図である。図１Ａは側面図であり、図１Ｂは斜視図であり、図１Ｃは平面図である。
【００１０】
図１Ａ〜図１Ｃに示すように、撮像装置１は、長手方向に延びる筐体１０を有している。以下では、筐体１０の長手方向が上下方向（鉛直方向）と一致し、筐体１０の長手方向の一端側が上端側に向けられ、筐体１０の長手方向の他端側が下端側に向けられる場合を筐体１０の基本姿勢として説明する。
【００１１】
筐体１０は、上端側（長手方向の一端側）に位置させて、丸みを帯びた形状を有して周方向に突出する周方向突出部１１を有している。筐体１０は、下端側（長手方向の他端側）に位置させて、丸みを帯びた形状を有して下方に突出する下方突出部１２を有している。筐体１０は、周方向突出部１１と下方突出部１２の間に位置する上下方向（長手方向）の中間側に位置させて、周方向に定径をなす定径部１３を有している。定径部１３は、撮像装置１による撮影時にユーザが把持するためのグリップ部を構成する。なお、周方向突出部１１と下方突出部１２の間に位置する上下方向（長手方向）の中間側に設けるのは定径部１３に限定されない。例えば、上方から下方に向かって縮径するテーパ形状であってもよい。あるいは、複数段階（例えば２段階や３段階等）で半径が変動する形状であってもよい。さらには、円柱型以外の形状（例えば三角柱や四角柱）であってもよい。すなわち、平面で切断したときの形状は１つに限定されない。
【００１２】
筐体１０の下端面に下方突出部１２を設けることで、筐体１０の基本姿勢を保ったまま、ユーザが載置面（例えばテーブル等）に筐体１０を載置するのを防止することができる。仮に、筐体１０の下端面を平らにして載置面に載置することを想定する。この場合、筐体１０の下端面と載置面の接触面積が非常に小さいため、筐体１０に不用意に人や物が接触したり、屋外撮影時に強めの風が吹いたりといった些細な原因で、筐体１０が倒れて載置面に衝突することで破損（例えばレンズ割れ）するおそれが生じる。本実施形態では、ユーザが筐体１０の基本姿勢を保ったまま載置面に筐体１０を載置するのを防止することで、上記の些細な原因による破損を防止することができる。
【００１３】
図２は、本実施形態による撮像装置１の内部構成を示す断面図である。
【００１４】
図２に示すように、撮像装置１は、上下方向（長手方向）に亘って、第１の領域Ｓ１と第２の領域Ｓ２と第３の領域Ｓ３を有している。第１の領域Ｓ１は撮像装置１の上端側（長手方向の一端側）に位置しており、第２の領域Ｓ２は撮像装置１の上下方向（長手方向）の中間側に位置しており、第３の領域Ｓ３は撮像装置１の下端側（長手方向の他端側）に位置している。
【００１５】
撮像装置１の第１の領域（長手方向の一部の領域）Ｓ１には、筐体１０の上面（長手方向の端面）に一部が露出する１つの光学系（端面光学系）２０と、筐体１０の上下方向（長手方向）に交差する周面に一部が露出する３つの光学系（周面光学系）３０とが配置されている。また、第１の領域Ｓ１には、１つの光学系（端面光学系）２０による像が結像する１つの撮像センサ（端面撮像センサ）４０と、３つの光学系（周面光学系）３０による像が結像する３つの撮像センサ（周面撮像センサ）５０とが配置されている。撮像センサ４０は撮像センサ保持基板４１に保持されており、撮像センサ５０は撮像センサ保持基板５１に保持されている。このように、第１の領域Ｓ１には、４つの光学系２０、３０と、４つの光学系２０、３０による像が結像する４つの撮像センサ４０、５０とが配置されている。
【００１６】
撮像装置１の第１の領域Ｓ１には、４つの光学系２０、３０の光路上に位置して、４つの光学系２０、３０を通る被写体光束が透過する共通の透過光学素子として、六角ガラス（六角プリズム）６０が配置されている。六角ガラス６０は、例えば、分光、屈曲、偏光等の光学機能を持たず、透過機能のみを持つ光学素子とすることができる。
【００１７】
図３〜図５を参照して、４つの光学系（端面光学系と周面光学系）２０、３０と、４つの撮像センサ（端面撮像センサと周面撮像センサ）４０、５０と、六角ガラス６０との構成や互いの位置関係等について、詳細に説明する。
【００１８】
４つの光学系（端面光学系と周面光学系）２０、３０と六角ガラス６０とによって、本実施形態の「撮像光学系」が構成される。
【００１９】
図３は、光学系（周面光学系）３０と撮像センサ（周面撮像センサ）５０と六角ガラス６０の光学設計を示す拡大図である。図３では、３セットの光学系（周面光学系）３０と撮像センサ（周面撮像センサ）５０のうち１セットのみを描いているが、他のセットも同様の光学設計を有している。また、光学系（端面光学系）２０と撮像センサ（端面撮像センサ）４０は、光学系（周面光学系）３０と撮像センサ（周面撮像センサ）５０と同様の光学設計又は当該光学設計を拡大方向にスケーリングしたものを有している。
【００２０】
図３に示すように、光学系（周面光学系）３０は、六角ガラス６０を境界として、六角ガラス６０よりも物体側に位置する前側レンズ群３０Ｆと、六角ガラス６０よりも像側に位置する後側レンズ群３０Ｒとを有している。
【００２１】
前側レンズ群３０Ｆは、物体側から像側に向かって順に、第１レンズＬ１と第２レンズＬ２と第３レンズＬ３を有している。後側レンズ群３０Ｒは、物体側から像側に向かって順に、第４レンズＬ４と第５レンズＬ５と第６レンズＬ６と第７レンズＬ７と第８レンズＬ８を有している。後側レンズ群３０Ｒ（第８レンズＬ８）と撮像センサ５０の間には、カバーガラスＣＧが配置されている。
【００２２】
ここで、「複数のレンズ」は、１つの光学系（端面光学系）２０と３つの光学系（周面光学系）３０の最も物体側に位置する第１レンズＬ１を意味することができる。「複数のレンズ」としての第１レンズＬ１の各々が、撮像装置１の筐体１０の外面に露出する。光学系（端面光学系）２０の第１レンズＬ１を「端面レンズ」と呼んで、光学系（周面光学系）３０の第１レンズＬ１を「周面レンズ」と呼んでもよい。なお、図１Ｃに示すように、筐体１０の周方向突出部１１の外面とそこに露出する複数のレンズ（第１レンズ）Ｌ１が同一（共通）の曲面を形成する。また、光学系（周面光学系）３０の第１レンズＬ１は、本実施形態においては、半径を小さくすることを目的とし、長手方向に切削されたものを開示しているが、これに限らず、円形や楕円形状のレンズであっても良い。
【００２３】
六角ガラス６０は、例えば、屈折率ｎがｎ＞１．５１を満足する材料（硝材）で構成された単一部材とすることができる。
【００２４】
六角ガラス６０は、前側レンズ群３０Ｆからの被写体光束が入射する入射面６１と、自身を透過した被写体光束が後側レンズ群３０Ｒに出射する出射面６２とを有している。六角ガラス６０の入射面６１と出射面６２は、各３つの光学系３０と撮像センサ５０に対応させて、各３つ設けられている（入射面６１と出射面６２が交互に設けられている）。また、六角ガラス６０の上面は、光学系（端面光学系）２０からの被写体光束が入射する入射面６３となっており、六角ガラス６０の下面は、自身を透過した被写体光束が撮像センサ（端面撮像センサ）４０に出射する出射面６４となっている。
【００２５】
六角ガラス６０の周面の各３つの入射面６１と出射面６２は、各々が対向している。また、六角ガラス６０の上面の入射面６３と下面の出射面６４は、互いに対向している。３つの光学系（周面光学系）３０を通る被写体光束は、六角ガラス６０の内部（各３つの入射面６１と出射面６２の間）を各々直進する。また１つの光学系（端面光学系）２０を通る被写体光束は、六角ガラス６０の内部（入射面６３と出射面６４の間）を直進する。
【００２６】
六角ガラス６０の入射面６３と出射面６４は、各３つの入射面６１と出射面６２以外の「第１の面」と「第２の面」と呼んでもよい。
【００２７】
六角ガラス６０の入射面６１（光学系３０に対応）と入射面６３（光学系２０に対応）は、互いに垂直をなす「第１の入射面」と「第２の入射面」と呼んでもよい。また、六角ガラス６０の出射面６２（撮像センサ５０に対応）と出射面６４（撮像センサ４０に対応）は、互いに垂直をなす「第１の出射面」と「第２の出射面」と呼んでもよい。この場合、「第１の入射面」と「第１の出射面」は互いに対向しており、「第２の入射面」と「第２の出射面」は互いに対向している。
【００２８】
六角ガラス６０の入射面６１と出射面６２と入射面６３と出射面６４には、研磨処理が施されていてもよい。また、六角ガラス６０の入射面６１と出射面６２と入射面６３と出射面６４には、ゴースト発生防止用の反射防止コートが設けられていてもよい。
【００２９】
六角ガラス６０の内部では、１つの光学系（端面光学系）２０と３つの光学系（周面光学系）３０を通る被写体光束が交差する。このように、１つの光学系（端面光学系）２０と３つの光学系（周面光学系）３０に共通の透過光学素子としての六角ガラス６０を設けることにより、光学全長を長く確保して優れた撮像性能（高解像化）を得るとともに、撮像装置１のスペース効率を向上させて、撮像装置１の小型化を図ることができる。
【００３０】
六角ガラス６０の３つの入射面６１の直前には、３つの光学系（周面光学系）３０の設計的な光学全長を長く確保するための平行平面板（平行平面ガラス）６５が設けられている。六角ガラス６０の３つの出射面６２の直後には、光学系３０の開口径を決定するための開口絞り６６が設けられている。
【００３１】
一般的な光学設計の制約上では、開口絞り６６を光学全長Ｄ０の１／２付近の位置に設けることが要求される。しかし、本実施形態では、光学全長Ｄ０の１／２付近に共通の透過光学素子としての六角ガラス６０を設けている。そこで、六角ガラス６０の入射面６１に平行平面板６５を設けることで、上述した六角ガラス６０を設けること自体による効果に加えて（補助的に）、光学全長をより長く確保することができる。また平行平面板６５は、開口絞り６６を各光学系の光路にとって障害とならない位置、ここでは出射面６２の直後に配置している。
【００３２】
図３に示すように、光学系（周面光学系）３０の光学全長Ｄ０のうち、前側レンズ群３０Ｆ（第１レンズＬ１）の物体側の面から六角ガラス６０までの距離をＤ１、後側レンズ群３０Ｒ（第８レンズＬ８）の像側の面から六角ガラス６０までの距離をＤ２と定義したとき、Ｄ１＞Ｄ２を満足している。また、撮像センサ５０又はこれを保持する撮像センサ保持基板５１から六角ガラス６０までの距離をＤ２’と定義したとき、Ｄ２≒Ｄ２’を満足している。これにより、筐体１０の周方向突出部１１の内側に微小クリアランスで収まるように、光学系（周面光学系）３０と撮像センサ（周面撮像センサ）５０と六角ガラス６０を配置して、撮像装置１の小型化（小径化）を図ることができる。
【００３３】
図４は、光学系（周面光学系）３０と撮像センサ（周面撮像センサ）５０と六角ガラス６０の位置関係を示す拡大図である。
【００３４】
図４に示すように、筐体１０の周方向突出部１１の内部の中心部に六角ガラス６０が位置しており、六角ガラス６０を中心とする周辺部に、各３つの光学系（周面光学系）３０と撮像センサ（周面撮像センサ）５０が位置している。また、筐体１０の周方向突出部１１の周方向の外殻に沿った仮想円を規定したとき、当該仮想円上に、３つの光学系（周面光学系）３０の最も物体側のレンズＬ１と、３つの撮像センサ（周面撮像センサ）５０とが、周方向に交互に（中心から見ると放射方向に）位置している。３つの光学系（周面光学系）３０は、六角ガラス６０を共用することによって、３つの光学系（周面光学系）３０の光学全長Ｄ０（図３参照）の間で交差している。これにより、筐体１０の周方向突出部１１の内側に微小クリアランスで収まるように、光学系（周面光学系）３０と撮像センサ（周面撮像センサ）５０と六角ガラス６０を配置して、撮像装置１の小型化（小径化）を図ることができる。
【００３５】
図３、図４に示すように、３つの光学系（周面光学系）３０の各々の水平画角をＡ（°）としたときに、Ａ＞１２０を満足する。
【００３６】
図５は、光学系（端面光学系）２０と撮像センサ（端面撮像センサ）４０と光学系（周面光学系）３０と撮像センサ（周面撮像センサ５０と六角ガラス６０の位置関係を示す拡大図である。
【００３７】
図５に示すように、筐体１０の周方向突出部１１の内部の中心部に六角ガラス６０が位置しており、六角ガラス６０を中心とする上下方向に亘って、各１つの光学系（端面光学系）２０と撮像センサ（端面撮像センサ）４０が位置している。また、筐体１０の周方向突出部１１の内部の周方向の外殻に沿った仮想円を規定したとき、当該仮想円の内部に、各１つの光学系（端面光学系）２０と撮像センサ（端面撮像センサ）４０が位置している。１つの光学系（端面光学系）２０と３つの光学系（周面光学系）３０は、六角ガラス６０を共用することによって、各光学系の光学全長Ｄ０の間で交差している。これにより、筐体１０の周方向突出部１１の内側に微小クリアランスで収まるように、光学系（端面光学系）２０と撮像センサ（端面撮像センサ）４０と光学系（周面光学系）３０と撮像センサ（周面撮像センサ）５０と六角ガラス６０を配置して、撮像装置１の小型化（小径化）を図ることができる。
【００３８】
本実施形態では、天頂方向を撮影する光学系（端面光学系）２０を設けて天頂方向の画質を向上させる（解像度を増大させる）とともに、光学系（端面光学系）２０が、光学系（周面光学系）３０と六角ガラス６０を共用している。すなわち、光学系（周面光学系）３０が六角ガラス６０の入射面６１と出射面６２（第１の入射面と第１の出射面）を利用する一方、光学系（端面光学系）２０が六角ガラス６０の入射面６３と出射面６４（第１の入射面と第１の出射面と垂直をなす第２の入射面と第２の出射面）を利用している。これにより、撮像装置１の小型化（小径化）を実現している。
【００３９】
図５に示すように、１つの光学系（端面光学系）２０の鉛直画角はＢ（°）に設定されている。この鉛直画角Ｂ（°）は、Ｂ＞１２０を満足する。光学系（周面光学系）３０の水平画角Ａ（°）と光学系（端面光学系）２０の鉛直画角Ｂ（°）の大小関係は、Ａ＞Ｂ、Ａ＝Ｂ、Ａ＜Ｂのいずれであってもよい。光学系（周面光学系）３０の水平画角Ａ（°）と光学系（端面光学系）２０の鉛直画角Ｂ（°）が重複する場合、当該重複部分において、光学系（周面光学系）３０による撮像画像を切り捨てて、光学系（端面光学系）２０による撮像画像を使用する画像処理を実行してもよい。一方、光学系（周面光学系）３０による下方向の撮像画像は、切り捨てることなく全て使用する画像処理を実行してもよい。
【００４０】
３つの撮像センサ（周面撮像センサ）５０は、筐体１０の長手方向（上下方向）と平行に延びる長辺と、筐体１０の長手方向と直交する方向（左右方向）と平行に延びる短辺とから構成される矩形形状を有している。光学系（周面光学系）３０の第１レンズＬ１は、切削されて長手方向に長い形状を有することで、長手方向に高い画角を有し、長手方向と垂直な方向（短手方向）に低い画角（例えば＞１２０°）を有する。また第１レンズＬ１の重複してしまう領域の部分の一部を切削することで、径（サイズ）を小さくすることができる。そこで、撮像センサ（周面撮像センサ）５０の形状を光学系（周面光学系）３０の形状に合わせて長手方向に長い形状に設定している。
【００４１】
図２に戻って、撮像装置１の第２の領域Ｓ２には、１つの撮像センサ（端面撮像センサ）４０と３つの撮像センサ（周面撮像センサ）５０から出力される像信号を受け取る基板（制御基板）７０が配置されている。基板７０と撮像センサ４０、５０は、例えばフレキシブル基板等の配線部材７１によって電気的に接続されている。
【００４２】
ここで、基板７０は、例えば、光学系２０、３０及びバッテリ８０等と接続するための配線部材を除いたものであって、基板７０上にハンダ付けされているチップ等を含むものとすることができる。
【００４３】
撮像装置１の第２の領域Ｓ２の外殻には、ＵＳＢ充電部７２が設けられている。ＵＳＢ充電部７２は、基板７０から側方に突出して、第２の領域Ｓ２の外殻に露出している。この露出部分において、ＵＳＢ充電部７２による充電状態を表示してもよい。
【００４４】
撮像装置１の第２の領域Ｓ２の外殻には、撮像装置１に関する操作機能部として、電源スイッチ７３とシャッタスイッチ７４が設けられている。電源スイッチ７３とシャッタスイッチ７４は、基板７０から側方に突出して、第２の領域Ｓ２の外殻に露出している。ユーザが電源スイッチ７３を操作することで撮像装置１の電源がオン／オフされ、ユーザがシャッタスイッチ７４を操作することで撮像装置１の撮像が開始／終了される。電源スイッチ７３とシャッタスイッチ７４は、例えば、筐体１０の定径部（グリップ部）１３を握ったユーザが親指で操作できるように配置されている。
【００４５】
図２に示すように、撮像装置１の第３の領域Ｓ３には、電力供給手段としてのバッテリ８０が設けられている。バッテリ８０は、例えばフレキシブル基板等の配線部材７５によって基板７０と電気的に接続されている。バッテリ８０は、配線部材７５を経由して基板７０に電力を供給するとともに、さらに配線部材７１を介して撮像センサ４０、５０に電力を供給する。なお、バッテリ８０は、基板７０及び配線部材７１、７５等を経由することなく、撮像センサ４０、５０に直接的に電力を供給してもよい。
【００４６】
ここで、電力供給手段としてのバッテリ８０は、例えば、光学系２０、３０及び基板７０等と接続するための配線部材を除いたものとすることができる。
【００４７】
このように、本実施形態では、撮像装置１の第１の領域Ｓ１に光学系２０、３０を配置し、撮像装置１の第２の領域Ｓ２に基板７０を配置し、撮像装置１の第３の領域Ｓ３にバッテリ（電力供給手段）８０を配置している。より具体的に、複数の光学系のうち最も物体側に位置するレンズＬ１を第１の領域Ｓ１に配置し、基板７０を第２の領域Ｓ２に配置し、バッテリ（電力供給手段）８０を第３の領域Ｓ３に配置している。また、第１の領域Ｓ１〜第３の領域Ｓ３は、筐体１０の長手方向と垂直な方向に重複していない。また、複数の光学系のうち最も物体側に位置するレンズＬ１と、基板７０と、バッテリ（電力供給手段）８０は、筐体１０の長手方向と垂直な方向に重複しない位置に配置されている。また、複数の光学系２０、３０と、基板７０と、バッテリ（電力供給手段）８０とは、複数の領域（第１の領域Ｓ１〜第３の領域Ｓ３）を跨らない。このように、筐体１０の内部の配置スペースである第１の領域Ｓ１〜第３の領域Ｓ３の各々を絞り込んで各々の構成要素を配置することで、撮像装置１の小型化（小径化）を実現している。
【００４８】
また、本実施形態では、筐体１０の上端側にある第１の領域Ｓ１に比較的重量の小さい複数のレンズＬ１を保持する一方、筐体１０の下端側にある第３の領域Ｓ３に比較的重量の大きいバッテリ（電力供給手段）８０を保持することで、撮像装置１の重心を上下方向の中間部よりも下方側に設定している。このため、ユーザが誤って撮像装置１を落とした場合であっても、複数のレンズＬ１が露出する筐体１０の上端側（第１の領域Ｓ１）でなく、バッテリ８０を保持する筐体１０の下端側（第３の領域Ｓ３）が着地することになり、撮像装置１の破損（レンズ割れ）を防止することができる。
【００４９】
図６Ａ、図６Ｂは、撮像装置１の各領域に配置される構成要素の一例を示す概念図である。図６Ａは、図２に対応しており、撮像装置１の上端側（長手方向の一端側）を第１の領域Ｓ１としてそこに複数のレンズＬ１を保持し、撮像装置１の上下方向（長手方向）の中間側を第２の領域Ｓ２としてそこに基板７０を保持し、撮像装置１の下端側（長手方向の他端側）を第３の領域Ｓ３としてそこにバッテリ８０を保持している。図６Ｂは、図６Ａの変形例であり、撮像装置１の上端側（長手方向の一端側）を第１の領域Ｓ１としてそこに複数のレンズＬ１を保持する点は共通であるが、撮像装置１の下端側（長手方向の他端側）を第２の領域Ｓ２としてそこに基板７０を保持し、撮像装置１の上下方向（長手方向）の中間側を第３の領域Ｓ３としてそこにバッテリ８０を保持する点が異なっている。図６Ｂの場合、第１の領域Ｓ１に保持される複数のレンズＬ１と、第２の領域Ｓ２に保持される操作機能部としての電源スイッチ７３及びシャッタスイッチ７４との距離が大きく確保されるので、撮像画像におけるユーザの手指の映り込みをより効果的に防止することができる。なお、図示は省略しているが、操作機能部としての電源スイッチ７３とシャッタスイッチ７４は、図６Ａの第２の領域Ｓ２及び図６Ｂの第３の領域Ｓ３に設けられていてもよい。
【００５０】
図７は、本実施形態による撮像装置１の内部構成を示す機能ブロック図である。図７に示すように、撮像装置１は、充電電力取得部９０と、画像送信部（送信部）１００と、信号処理部１１０と、撮影指示信号受信部１２０とを有している。
【００５１】
充電電力取得部９０と画像送信部１００と信号処理部１１０と撮影指示信号受信部１２０は、例えば、基板７０に形成したチップにより構成することができる。すなわち、基板７０がこれらの機能構成ブロックを有することができる。
【００５２】
充電電力取得部９０は、例えば、筐体１０の下方突出部１２に設けられた電気接点又は電力受信部から構成されている。筐体１０の下方突出部１２を被支持部として充電器（図示略）の支持部にセッティングすると、充電電力取得部９０が充電器の電気接点又は電力送信部（図示略）から充電電力を取得する。この充電電力は、バッテリ８０に供給される。
【００５３】
画像送信部１００は、基板７０に入力した４つの撮像センサ４０、５０による４つの像信号を外部機器（例えばスマートフォン等の外部端末）に送信（有線送信又は無線送信）する。外部機器では、画像送信部１００から受信した４つの像信号を合成することにより、全天球画像（例えば全天球パノラマ画像）又は半天球画像を生成する。このとき、外部機器は、光学系（周面光学系）３０の水平画角Ａ（°）と光学系（端面光学系）２０の鉛直画角Ｂ（°）が重複する場合、当該重複部分において、光学系（周面光学系）３０による撮像画像を切り捨てて、光学系（端面光学系）２０による撮像画像を使用する画像処理を実行してもよい。一方、外部機器は、光学系（周面光学系）３０による下方向の撮像画像を、切り捨てることなく全て使用する画像処理を実行してもよい。
【００５４】
信号処理部１１０は、基板７０に入力した４つの撮像センサ４０、５０による４つの像信号に信号処理を施す。信号処理部１１０は、上述の外部機器による信号処理（画像処理）と同様の信号処理（画像処理）を実行可能である。すなわち、信号処理部１１０は、基板７０に入力した４つの撮像センサ４０、５０による４つの像信号を合成することにより、全天球画像を生成する。このとき、信号処理部１１０は、光学系（周面光学系）３０の水平画角Ａ（°）と光学系（端面光学系）２０の鉛直画角Ｂ（°）が重複する場合、当該重複部分において、光学系（周面光学系）３０による撮像画像を切り捨てて、光学系（端面光学系）２０による撮像画像を使用する画像処理を実行してもよい。一方、信号処理部１１０は、光学系（周面光学系）３０による下方向の撮像画像を、切り捨てることなく全て使用する画像処理を実行してもよい。なお、信号処理部１１０は、上述した外部機器（例えばスマートフォン等の外部端末）による処理の少なくとも一部を実行してもよい。
【００５５】
信号処理部１１０は、基板７０に形成したチップにより実現することができる。例えば、信号処理部１１０は、基板７０に形成したチップに、ＣＰＵ（Central  Processing  Unit）機能部、ＲＡＭ（Random  Access  Memory）機能部、ＲＯＭ（Read  Only  Memory）機能部及びＧＰＵ（Graphics   Processing  Unit）機能部等の各種機能部を埋め込んだＳｏＣ（System  on  a  Chip）によって実現することができる。
【００５６】
撮影指示信号受信部１２０は、外部機器（例えばスマートフォン等の外部端末）からの撮影指示信号を受信する。この撮影指示信号に基づいて、撮像装置１による撮像処理を実行することができる。
【００５７】
このように、本実施形態の撮像装置１は、複数の光学系２０、３０と、複数の光学系２０、３０による像が結像する複数の撮像センサ４０、５０と、複数の光学系２０、３０の光路上に位置し複数の光学系２０、３０を通る被写体光束が透過する共通の透過光学素子としての六角ガラス６０と、を有している。これにより、優れた撮像性能を維持しながら小型化の要求に応えることができる。
【００５８】
また、本実施形態の撮像装置１は、それぞれが複数のレンズによって成る複数の光学系２０、３０と、複数の光学系２０、３０による像が結像する複数の撮像センサ４０、５０と、複数の撮像センサ４０、５０から出力される像信号を受け取る基板７０と、複数の撮像センサ４０、５０と基板７０に電力を供給する電力供給手段としてのバッテリ８０とを有している。そして、撮像装置１は、長手方向に第１、第２、第３の領域Ｓ１、Ｓ２、Ｓ３を有すると共に、複数の光学系２０、３０のうち最も物体側に位置するレンズ（第１レンズ）Ｌ１を第１の領域Ｓ１に配置し、基板７０を第２の領域Ｓ２に配置し、バッテリ（電力供給手段）８０を第３の領域に配置している。また、複数の光学系２０、３０のうち最も物体側に位置するレンズ（第１レンズ）Ｌ１と、基板７０と、バッテリ（電力供給手段）８０は、筐体１０の長手方向と垂直な方向に重複しない位置に配置されている。すなわち、複数のレンズＬ１、基板７０及びバッテリ８０は、２つの領域に跨ることなく、それぞれに割り当てられた領域に配置されている。これにより、撮像装置１の小型化の要求に応えることができる。
【００５９】
以上の実施形態では、筐体１０の長手方向の下端面（他端面）に丸みを帯びた形状の下方突出部１２を設けた場合を例示して説明したが、筐体１０の長手方向の上端面（一端面）に丸みを帯びた形状の上方突出部を設けることも可能である。また、下方突出部と上方突出部の両方を設けることも可能である。
【００６０】
以上の実施形態では、筐体１０の上面に臨む光学系（端面光学系）２０と対応する撮像センサ（端面撮像センサ）４０を１つ設けるとともに、筐体１０の周面に臨む光学系（周面光学系）３０と対応する撮像センサ（周面撮像センサ）５０を各３つ設ける場合を例示して説明した。しかし、撮像装置１に設ける光学系と撮像センサの数には自由度がある。
【００６１】
以上の実施形態では、撮像装置１によって全天球画像を撮影する場合を例示して説明したが、全天球画像以外にも、パノラマ画像を取得する態様も可能である。この場合、複数のレンズＬ１の上下方向の画角は１２０°程度であってもよい。また、上方向の画質が若干低下するが、光学系（端面光学系）２０と対応する撮像センサ（端面撮像センサ）４０を取り除いて（省略して）、全天球画像を作成することも可能である。
【００６２】
以上の実施形態では、共通の透過光学素子として、単一部材からなる六角ガラス６０を用いた場合を例示して説明した。しかし、共通の透過光学素子の形状等については自由度があり、種々の設計変更が可能である。例えば、撮像装置１に設ける光学系と撮像センサの数に応じて、共通の透過光学素子としてのガラスの角柱構造を変更してもよい（この場合、ガラスの角柱構造に応じて入射面と出射面の数も変動し得る）。さらに、共通の透過光学素子を単一部材から構成するのではなく、複数部材から構成した上で、これらを結合したものとしてもよい。
【００６３】
以上の実施形態では、六角ガラス６０の入射面６１に平行平面板６５を設ける場合を例示して説明した。しかし、六角ガラス６０の出射面６２に平行平面板６５を設ける態様も可能である。また、六角ガラス６０の入射面６１と出射面６２に平行平面板６５を設ける態様も可能である。また、平行平面板６５を完全な平面ではなく、限りなく平面に近い小さな曲率（大きな曲率半径）を持たせることも可能である。また、平行平面板６５を省略することも可能である。
【００６４】
以上の実施形態では、撮像装置１の第２の領域Ｓ２に、基板７０、並びに、操作機能部としての電源スイッチ７３及びシャッタスイッチ７４を設ける場合を例示して説明した。しかし、操作機能部としての電源スイッチ７３及びシャッタスイッチ７４を、撮像装置１の第１の領域Ｓ１又は第３の領域Ｓ３に設ける態様も可能である。
【００６５】
以上に説明した本実施形態について、若干の補足説明をする。図９は、図４を簡略化して示すものであり、周面光学系３０の光路である第１光路ＯＰ１と周面撮像センサ５０、および六角ガラス６０の位置関係を示す拡大図である。上述のように、筐体１０の周方向突出部１１には、六角ガラス６０を中心として、放射方向に３セットの周面光学系３０（３０−１、３０−２、３０−３）が収容されている。それぞれの周面光学系３０は、六角ガラス６０よりも物体側に位置する前側レンズ群と、像側に位置する後側レンズ群とを有するが、図では、周方向突出部１１の周面に沿って配置される最も物体側に位置する周面レンズＬ１（Ｌ１−１、Ｌ１−２、Ｌ１−３）のみを示し、他のレンズを省略している。
【００６６】
なお、以下においては、周方向突出部１１を単に「筐体部」、あるいは、グリップ部を構成する定型部１３とその下方に位置する下方突出部１２をまとめて「第２筐体部」と称するのに対して、「第１筐体部」と称する場合がある。筐体部は、六角ガラス６０の六角柱形状の中心軸を基準軸とすると、当該基準軸の周方向に沿う周面を有する。周面レンズＬ１は、周面に設けられた開口部に嵌め込まれることにより、その物体側レンズ面も周面の一部を形成する。なお、ここでは六角ガラス６０の六角柱形状の中心軸と筐体部の基準軸が一致する場合を説明するが、筐体部の周面の中心軸である基準軸は、六角ガラス６０の六角柱形状の中心軸と一致していなくても良い。
【００６７】
筐体部には、それぞれの周面光学系３０（３０−１、３０−２、３０−３）に対応して３つの周面撮像センサ５０（５０−１、５０−２、５０−３）が収容されている。すなわち、第１周面光学系３０−１は、第１周面撮像センサ５０−１の受光面に被写体像を結像させ、第２周面光学系３０−２は、第２周面撮像センサ５０−２の受光面に被写体像を結像させ、第３周面光学系３０−３は、第３周面撮像センサ５０−３の受光面に被写体像を結像させる。
【００６８】
それぞれの周面光学系３０は、近軸光線が周面撮像センサ５０へ至る第１光路ＯＰ１（ＯＰ１−１、ＯＰ１−２、ＯＰ１−３）を有する。それぞれの第１光路ＯＰ１は、六角ガラス６０を通過して対応する周面撮像センサ５０へ到達する。このとき、３つの第１光路ＯＰ１（ＯＰ１−１、ＯＰ１−２、ＯＰ１−３）は、六角ガラス６０の内部で互いに交差する。
【００６９】
なお、ここでは、周面光学系３０の近軸光線の光路を第１光路ＯＰ１とするが、第１光路ＯＰ１は、任意の物体点から周面撮像センサ５０へ至る主光線と捉えても良い。また、六角ガラス６０の内部で第１光路ＯＰ１が互いに交差するとは、３次元的に一点を共有する場合に限らず、図示するように上面から観察した場合に交差していれば良い。すなわち、三次元的には互いにねじれの関係であっても構わない。
【００７０】
このような関係を満たすような配置において、３つの周面レンズＬ１（Ｌ１−１、Ｌ１−２、Ｌ１−３）と、それぞれに対応する３つの周面撮像センサ５０（５０−１、５０−２、５０−３）は、基準軸の周方向（図において点線で示す仮想円）に沿って交互に配置されることになる。すなわち、仮想円を順に反時計回りに辿ると、第１周面レンズＬ１−１→第３周面撮像センサ５０−３→第２周面レンズＬ１−２→第１周面撮像センサ５０−１→第３周面レンズＬ１−３→第２周面撮像センサ５０−２→（第１周面レンズＬ１−１）のように配置されている。このようなレイアウトを採用することにより、周面光学系３０と周面撮像センサ５０を狭い空間に収容することができる。なお、周面光学系３０と周面撮像センサ５０は、基準軸に対して同一円周上に配置されていなくても良く、互いに異なる径の周方向に沿って配置されていても良い。
【００７１】
図１０は、周面撮像センサ５０の周方向画角の関係を示す図である。図１０は、図９と同様に図４を簡略化した上で、それぞれの周面撮像センサ５０が捉える被写体範囲がわかるように筐体部を俯瞰した図である。
【００７２】
上述のように、それぞれの周面撮像センサ５０の周方向画角Ａ（°）は、その有効画素領域と周面光学系３０の組み合わせにより、１２０°より大きく設定されている。このように設定されることにより、１つの周面撮像センサ５０の周方向画角Ａは、結果的に、隣接する周面撮像センサ５０の周方向画角と、互いに一部が重なり合う。具体的には、図示するように、第１周面撮像センサ５０−１が第１周面光学系３０−１によって形成される周方向画角は、第２周面撮像センサ５０−２が第２周面光学系３０−２によって形成される周方向画角とＣ12の範囲で重なり合い、第３周面撮像センサ５０−３が第３周面光学系３０−３によって形成される周方向画角とＣ31の範囲で重なり合う。第２周面撮像センサ５０−２が第２周面光学系３０−２によって形成される周方向画角と、第３周面撮像センサ５０−３が第３周面光学系３０−３によって形成される周方向画角とは、Ｃ23の範囲で重なり合う。
【００７３】
このような関係を満たすことにより、撮像装置１は、３つの周面撮像センサ５０によって３６０°に亘る被写体画像を得ることができる。なお、それぞれの周面撮像センサ５０が出力する画像信号の画像は、周面光学系３０の収差により重なり合う画角領域において多少の歪みが生じる。このような画像の歪みを修正し、それぞれの画像を繋ぎ合わせて合成する画像処理は、信号処理部１１０あるいは外部機器で実行される。
【００７４】
図１１は、基準軸と第１レンズＬ１および周面撮像センサ５０との位置関係を示す拡大図であり、図３を簡略化した図である。図示するように、六角ガラス６０を中心とし、周面レンズＬ１の物体側レンズ面を周面の一部とする略円形の筐体部に周面光学系３０、周面撮像センサ５０等を収容するためには、図示する配置関係を満たせば良い。すなわち、周面レンズＬ１の物体側レンズ面（外面）から六角ガラス６０の中心軸までの光路上の距離Ｄ１が、中心軸から周面光学系３０の結像面までの光路上の距離Ｄ３よりも大きい。また、距離Ｄ１が、中心軸から撮像センサ保持基板５１の裏面までの距離Ｄ２′よりも大きい。このような関係を満たすように周面光学系３０の光学設計及び基板のレイアウト設計を行うと、筐体部の直径を小さくすることができる。
【００７５】
図１２は、周面レンズＬ１と周面撮像センサ５０の配置を説明するための斜視図である。上述のように、周面レンズＬ１は、正面から見た場合に一方が他方より長くなるようにカットされた矩形形状をなす。そして、その長手方向が筐体部の基準軸に沿う方向となるように、筐体部の周面に沿って配置されている。このような周面レンズＬ１の形状及び配置を採用することにより、上述した３つの周面レンズＬ１と３つの周面撮像センサ５０の周方向に沿った交互配置が容易に実現され得る。なお、周面レンズＬ１は、正面から見た場合の形状が矩形形状に限らず長手方向と短手方向を有する形状であれば良い。例えば、楕円形状であっても良い。
【００７６】
周面撮像センサ５０は、基準軸に沿う方向が光学像を光電変換する画素領域である有効画素領域５０ａの長手方向となるように筐体部に配置されている。具体的には後述するが、このように配置することにより、周面撮像センサ５０の基準軸方向の画角を周方向の画角より大きくすることができる。
【００７７】
図１３は、周面撮像センサ５０の有効画素用域５０ａと、周面光学系３０によって結像された被写体像ＩＭＧの関係を説明する図である。図示するように被写体像ＩＭＧの大きさは、有効画素領域５０ａに対して、基準軸に沿う長手方向については狭く、周方向については広い。換言すると、周面光学系３０は、基準軸に沿う方向について有効画素領域５０ａより狭く、周方向について有効画素領域５０ａより広く、被写体像を受光面に結像させる。
【００７８】
上述のように、互いに隣接する周面撮像センサ５０の周方向画角は有効画素領域５０ａで確定し、その一部が互いに重なり合うので、周方向については、被写体像が有効画素領域５０ａを若干はみ出していくことが好ましい。このように定まる周方向画角により、撮像装置１は、周方向において３６０°に亘る被写体画像の取得を実現できる。一方で、基準軸方向については、その画角をより大きく確保するために、特に端面光学系２０が担う天頂方向とは反対の下方向について、被写体像を境界まで利用したい。このような観点から、上述の結像関係を採用する。すなわち、このような結像関係を満たすように有効画素領域５０ａの配置と周面光学系３０の光学設計を行うことにより、基準軸方向の画角を大きく確保でき、また、周方向に沿った周面光学系３０と周面撮像センサ５０のレイアウトが可能となる。
【００７９】
図１４は、図５を簡略化して示すものであり、周面光学系３０の第１光路ＯＰ１と周面撮像センサ５０、端面光学系２０の第２光路ＯＰ２と端面撮像センサ４０、および六角ガラス６０の位置関係を示す拡大図である。上述のように、筐体部には、六角ガラス６０を中心として、上下方向に亘って１セットの端面光学系２０が収容されている。端面光学系は、六角ガラス６０よりも物体側に位置する前側レンズ群と、像側に位置する後側レンズ群とを有するが、図では、基準軸と交差する端面に沿って配置される最も物体側に位置する端面レンズＬ１−０のみを示し、他のレンズを省略している。なお、本実施形態において端面レンズＬ１−０は、筐体部の端面に沿って配置されるが、筐体部は、端面レンズＬ１−０を保護するカバーガラスを端面レンズＬ１−０よりも物体側に有していても構わない。
【００８０】
筐体部には、端面光学系２０に対応して端面撮像センサ４０が収容されている。すなわち、端面光学系２０は、端面撮像センサ４０の受光面に被写体像を結像させる。端面光学系２０は、近軸光線が端面撮像センサ４０へ至る第２光路ＯＰ２を有する。第２光路ＯＰ２は、六角ガラス６０を通過して対応する端面撮像センサ４０へ到達する。
【００８１】
なお、ここでは、端面光学系２０の近軸光線の光路を第２光路ＯＰ２とするが、第２光路ＯＰ２は、任意の物体点から端面撮像センサ４０へ至る主光線と捉えても良い。
【００８２】
筐体部には、上述のように、放射方向にそれぞれ３つの周面光学系３０と周面撮像センサ５０が配置されているが、図においては、第１周面光学系３０−１と第１周面撮像センサ５０−１を示している。上述のように、第１光路ＯＰ１−１は、六角ガラス６０を通過して対応する第１周面撮像センサ５０−１へ到達する。このとき、第１光路ＯＰ１−１は、共通の透過光学素子である六角ガラス６０の内部で第２光路ＯＰ２と交差する。同様に、第１光路ＯＰ１−２は、六角ガラス６０の内部で第２光路ＯＰ２と交差し、第１光路ＯＰ１−３は、六角ガラス６０の内部で第２光路ＯＰ２と交差する。ここで、六角ガラス６０の内部で第１光路ＯＰ１（ＯＰ１−１、ＯＰ１−２、ＯＰ１−３）が第２光路ＯＰ２と交差するとは、３次元的に一点を共有する場合に限らず、図示するように側面から観察した場合に交差していれば良い。すなわち、三次元的には互いにねじれの関係であっても構わない。
【００８３】
共通の透過光学素子は、第１光路ＯＰ１（ＯＰ１−１、ＯＰ１−２、ＯＰ１−３）が入射する入射面と、第２光路ＯＰ２が入射する入射面とが互いに垂直であることが好ましい。また、第１光路ＯＰ１（ＯＰ１−１、ＯＰ１−２、ＯＰ１−３）が出射する出射面と、第２光路ＯＰ２が出射する出射面とが互いに垂直であることが好ましい。また、透過光学素子は、端面光学系２０及び周面光学系３０のそれぞれと一対一に対応する入射面と出射面の組を有することが好ましい。すなわち、１つの光学系に対して１つの入射面と出射面が対応するように構成されていることが好ましい。特に、それぞれの組においては、入射面と出射面が対向していることが好ましい。このような観点から、六角柱形状の六角ガラス６０は、本実施形態の透過光学素子として最適である。このような六角ガラス６０を中心として配置された端面光学系２０及び周面光学系３０によれば、全天球に亘る被写体像を容易に撮像することができる。
【００８４】
図５においては、端面光学系２０については鉛直画角Ｂ（°）を、Ｂ＞１２０とした。周面光学系３０については、基準軸方向の画角を周方向の画角と同じくＡ（°）で表し、Ａ＞１２０とした。図１４の例では、上述のように周面レンズＬ１が矩形形状の場合を想定して、基準軸方向の画角Ｃ（°）が画角Ａよりも大きくなるように設定している。
【００８５】
このような画角Ａと画角Ｃの関係を採用することにより、周面撮像センサ５０は、より下方の被写体まで捉えることができる。すなわち、周方向画角については、周方向に沿って３つの周面撮像センサ５０が配置されているので、１つの周面撮像センサ５０が捉える周方向画角Ａは１２０°より大きければ良い。一方で、天頂方向とは逆向きに向けられた光学系及びそれに対応する撮像センサは備えないので、下方の被写体については周面撮像センサ５０が捉える範囲が限度となる。したがって、より下方の被写体まで撮像するためには、画角Ｃを大きくすることが肝要である。そこで、Ｃ＞Ａとなるように設定している。
【００８６】
また、端面光学系２０により天頂方向の一定範囲の被写体は端面撮像センサ４０で捉えることができるので、端面撮像センサ４０の画角Ｂの一部と周面撮像センサ５０の画角Ａの一部とが互いに重なり合う範囲において、周面撮像センサ５０が捉える範囲を下方に傾けても良い。このように下方に傾ければ、天頂方向の被写体像に欠損を生じさせることなく、より下方の被写体まで捉えることができる。また、図１３の例ではＢ＞１２０としたが、周面光学系３０がより上方の被写体まで捉える画角を有するのであれば、Ｂを１２０°より小さく設定しても良い。
【００８７】
なお、以上説明した本実施形態において、周面光学系３０の数は３つに限らない。筐体部の大きさが許す範囲において、周面光学系３０と周面撮像センサ５０の数を増やしても良い。その場合は、周面光学系３０の数に合わせて透過光学素子の形状を変更する。また、筐体部の大きさが許すのであれば、光路長を短縮するための透過光学素子（六角ガラス６０）を省いても良い。
【００８８】
図１５は、撮像装置１の別実施形態の一例を示す図である。この別実施形態は、定径部１３Ａが多角柱状を成す場合に対応している。
【００８９】
図１５Ａに示すように、別実施形態の撮像装置１において、筐体１０は、周方向突出部１１を「第１筐体部」と称するのに対し、グリップ部を構成する柱状部１３Ａとその下方に位置する下方突出部１２をまとめて「第２筐体部」と称する場合がある。第２筐体部の最大径を成す外接円は、第１筐体部のうち周面レンズＬ１を含む位置における周面の最小径を成す外接円より小さい。具体的には、図１５Ｂに示すように、第１筐体部の中心から周面レンズＬ１の上端位置までの水平方向における距離が最小径に相当し、周面レンズＬ１の上端位置を含む水平面内において第１筐体部の基準軸を中心として周面レンズＬ１の上端位置を通る円Ｃ１が最小径をなす外接円に相当する。また、第２筐体部のうち柱状部１３Ａの中心から角までの水平方向における距離Ｘ２が第２筐体部の最大径に相当し、周面レンズＬ１の上端位置を含む水平面内において柱状部１３Ａの角を通る円Ｃ２が最大径を成す外接円に相当する。そして、円Ｃ２が円Ｃ１よりも小さく、円Ｃ２が円Ｃ１の内側に包含される。なお、第１筐体部の中心から周面レンズＬ１の下端位置までの水平方向における距離が最小径に相当する構成であってもよい。
【００９０】
この場合、柱状部１３Ａは、上下方向（長手方向）に平行な平面部Ｙ１を有する。平面部Ｙ１は、若干の湾曲を有していてもよい。平面部Ｙ１は周面レンズＬ１の向きに応じて設けられている。具体的には、平面部Ｙ１は、周面レンズＬ１と同一の方向を向くように設けられている。平面部Ｙ１には、撮像装置１を操作する操作部材としての電源スイッチ７３及びシャッタスイッチ７４が設けられている。これにより、周面レンズＬ１をユーザに向けてユーザを被写体として撮影を行う、いわゆる自撮り撮影を容易に行うことができる。なお、図１５Ａに示す例では、３つの平面部Ｙ１がそれぞれ対応する周面レンズＬ１と同一の方向を向いている構成としたが、少なくとも、電源スイッチ７３及びシャッタスイッチ７４を有する平面部Ｙ１が周面レンズＬ１と同一の方向を向いているのが好ましい。
【００９１】
このように、別実施形態の撮像装置１は、複数の光学系２０、３０及び複数の光学系２０、３０のそれぞれに対応する複数の撮像センサ４０、５０を収容する第１筐体部と、第１筐体部から延在し、ユーザが把持するための第２筐体部とを有している。また、第１筐体部は、第２筐体部が延在する延在方向を基準軸とする周方向に沿う周面を有する。また、複数の光学系２０、３０のうち少なくとも２つは、周面に沿って配置される最も物体側に位置する周面レンズと、互いに交差する光路とをそれぞれ有する。また、第２筐体部の最大径を成す外接円は、第１筐体部のうち周面レンズを含む位置における周面の最小径を成す外接円より小さい。これにより、第１筐体部に保持される複数のレンズＬ１と、第２筐体部に保持される電源スイッチ７３及びシャッタスイッチ７４との距離が大きく確保されるので、撮像画像におけるユーザの手指の映り込みをより効果的に防止することができる。
【符号の説明】
【００９２】
１  撮像装置
１０  筐体
１１  周方向突出部
１２  下方突出部
１３  定径部（グリップ部）
２０  光学系（端面光学系、撮像光学系）
３０  光学系（周面光学系、撮像光学系）
３０Ｆ  前側レンズ群
３０Ｒ  後側レンズ群
４０  撮像センサ（端面撮像センサ）
４１  撮像センサ保持基板
５０  撮像センサ（周面撮像センサ）
５１  撮像センサ保持基板
６０  六角ガラス（六角プリズム、共通の透過光学素子、撮像光学系）
６１  入射面（第１の入射面）
６２  出射面（第１の出射面）
６３  入射面（第１の面、第２の入射面）
６４  出射面（第２の面、第２の出射面）
６５  平行平面板（平行平面ガラス）
６６  開口絞り
７０  基板（制御基板）
７１  配線部材
７２  ＵＳＢ充電部
７３  電源スイッチ（操作機能部）
７４  シャッタスイッチ（操作機能部）
７５  配線部材
８０  バッテリ（電力供給手段）
９０  充電電力取得部
１００  画像送信部（送信部）
１１０  信号処理部
１１０Ｘ  撮影指示信号受信部
１２０  端面光学系
１２１  第１レンズ
１２２  第２レンズ群
１３０  周面光学系
１３１  第１レンズ
１３２  第２レンズ群
１４０  撮像センサ保持ブロック
１５０  端面撮像センサ
１５１  端面撮像センサ保持基板
１６０  周面撮像センサ
１６１  周面撮像センサ保持基板
ＣＧ  カバーガラス
Ｌ１  第１レンズ（端面レンズ、周面レンズ）
Ｌ２  第２レンズ
Ｌ３  第３レンズ
Ｌ４  第４レンズ
Ｌ５  第５レンズ
Ｌ６  第６レンズ
Ｌ７  第７レンズ
Ｓ１  第１の領域
Ｓ２  第２の領域
Ｓ３  第３の領域
【図１】
2020134938.tif 000003
【図２】
2020134938.tif 000004
【図３】
2020134938.tif 000005
【図４】
2020134938.tif 000006
【図５】
2020134938.tif 000007
【図６】
2020134938.tif 000008
【図７】
2020134938.tif 000009
【図８】
2020134938.tif 000010
【図９】
2020134938.tif 000011
【図１０】
2020134938.tif 000012
【図１１】
2020134938.tif 000013
【図１２】
2020134938.tif 000014
【図１３】
2020134938.tif 000015
【図１４】
2020134938.tif 000016
【図１５】
2020134938.tif 000017